Podtech/llm-jp-corpus-v4-ja_patent huggingface dataset:
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
組織中に挿入されるように構成されたインピーダンス‐ＥＭＧ針であって、
シャフトと、
前記シャフト上に配置されて、組織の能動的な電気特性を測定するように構成された、少なくとも１つのＥＭＧ電極と、
少なくとも４つのインピーダンス電極であって、前記シャフト上に配置されて、少なくとも４つのインピーダンス電極のうちの２つの第１のセット間を流れる１０ｋＨｚ〜１０ＭＨｚを含む周波数の電流に応答して、結果として生じる電圧を少なくとも２つのインピーダンス電極の第２のセットによって測定して、組織の受動的な電気特性を測定するように構成された、前記少なくとも４つのインピーダンス電極と、
を備える、前記インピーダンス‐ＥＭＧ針。
【請求項２】
少なくとも４つのインピーダンス電極が、インピーダンス‐ＥＭＧ針のシャフトのまわりのリング電極として構成されている、請求項１に記載のインピーダンス‐ＥＭＧ針。
【請求項３】
少なくとも４つのインピーダンス電極が、インピーダンス‐ＥＭＧ針のシャフト上の点電極として構成されている、請求項１に記載のインピーダンス‐ＥＭＧ針。
【請求項４】
電流が、１０ｋＨｚ〜１００ｋＨｚを含む周波数を有する、請求項１に記載のインピーダンス‐ＥＭＧ針。
【請求項５】
少なくとも４つのインピーダンス電極は、インピーダンス‐ＥＭＧ針のシャフトに沿って配置された４つのリング電極を含み、この場合に：
外側の２つのリング電極は電流インピーダンス電極であり、
内側の２つのリング電極は電圧インピーダンス電極である、請求項１に記載のインピーダンス‐ＥＭＧ針。
【請求項６】
組織の神経筋疾患を評定するためのシステムであって、
組織中に挿入されるように構成されたインピーダンス‐ＥＭＧ針であって、
シャフト、
前記シャフト上に配置されて、組織の能動的な電気特性を測定するように構成された少なくとも１つのＥＭＧ電極、および
少なくとも４つのインピーダンス電極であって、前記シャフト上に配置されて、少なくとも４つのインピーダンス電極のうちの２つの第１のセット間を流れる１０ｋＨｚ〜１０ＭＨｚを含む周波数の電流に応答して、結果として生じる電圧を少なくとも２つのインピーダンス電極の第２のセットによって測定して、組織の受動的な電気特性を測定するように構成された、前記少なくとも４つのインピーダンス電極
を含む、前記インピーダンス‐ＥＭＧ針と、
前記インピーダンス‐ＥＭＧ針から少なくとも１つの信号を受信して分析するように構成された、少なくとも１つのコンピュータ装置と
を備える、前記システム。
【請求項７】
電流が、１０ｋＨｚ〜１００ｋＨｚを含む周波数を有する、請求項６に記載のシステム。
【請求項８】
インピーダンス‐ＥＭＧ針は単極ＥＭＧ設計を含み、この場合に：
少なくとも１つのＥＭＧ電極は、インピーダンス‐ＥＭＧ針のシャフトの遠位端に配置された能動ＥＭＧ電極を含み、
少なくとも４つのインピーダンス電極は、インピーダンス‐ＥＭＧ針のシャフトに沿って配置されている、請求項６に記載のシステム。
【請求項９】
インピーダンス‐ＥＭＧ針は同心ＥＭＧ設計を含み、この場合に、少なくとも１つのＥＭＧ電極は：
シャフトの外層として配置された基準ＥＭＧ電極と；
シャフトの内側に配置された能動ＥＭＧ電極と
を含む、請求項６に記載のシステム。
【請求項１０】
少なくとも１つのコンピュータ装置は、
少なくとも１つのＥＭＧ電極から、組織の能動的な電気特性に関する第１の情報を含む、少なくとも１つの第１の信号を受信して分析し、
少なくとも４つのインピーダンス電極から、組織の受動的な電気特性に関する第２の情報を含む、少なくとも１つの第２の信号を受信して分析するように、構成されている、請求項６に記載のシステム。
【請求項１１】
少なくとも１つのディスプレイをさらに含み、この場合に：
少なくとも１つのコンピュータ装置は、少なくとも１つのディスプレイ上に、第１の情報および第２の情報を表示するように構成されている、請求項１０に記載のシステム。
【請求項１２】
組織の神経筋疾患を評定する方法であって、
組織中にインピーダンス‐ＥＭＧ針を挿入すること、ただし、インピーダンス‐ＥＭＧ針は、
シャフトと、
前記シャフト上に配置されて、組織の能動的な電気特性を測定するように構成された少なくとも１つのＥＭＧ電極と、
少なくとも４つのインピーダンス電極であって、前記シャフト上に配置されて、少なくとも４つのインピーダンス電極のうちの２つの第１のセット間を流れる１０ｋＨｚ〜１０ＭＨｚを含む周波数の電流に応答して、結果として生じる電圧を少なくとも２つのインピーダンス電極の第２のセットによって測定して、組織の受動的な電気特性を測定するように構成された、前記少なくとも４つのインピーダンス電極とを含む、および
前記能動的な電気特性と前記受動的な電気特性とから、組織の状態を判定すること
を含む、前記方法。
【請求項１３】
電流が、１０ｋＨｚ〜１００ｋＨｚを含む周波数を有する、請求項１２に記載の方法。
【請求項１４】
インピーダンス‐ＥＭＧ針は、単極ＥＭＧ設計を含み、この場合に：
少なくとも１つのＥＭＧ電極は、インピーダンス‐ＥＭＧ針のシャフトの遠位端に配置された能動ＥＭＧ電極を含み；
少なくとも４つのインピーダンス電極は、インピーダンス‐ＥＭＧ針のシャフトに沿って配置されている、請求項１２に記載の方法。
【請求項１５】
組織が筋肉であり、この場合に：
少なくとも１つのＥＭＧ電極は、筋肉が休止しているとき、および筋肉が収縮しているときに、筋肉の能動的な電気特性を測定するように構成されており；
少なくとも４つのインピーダンス電極は、筋肉が休止しているとき、および筋肉が収縮しているときに、筋肉の受動的な電気特性を測定するように構成されている、請求項１に記載のインピーダンス‐ＥＭＧ針。
【請求項１６】
組織は筋肉であり、この場合に：
少なくとも１つのＥＭＧ電極は、筋肉が休止しているとき、および筋肉が収縮しているときに、筋肉の能動的な電気特性を測定するように構成されており；
少なくとも４つのインピーダンス電極は、筋肉が休止しているとき、および筋肉が収縮しているときに、筋肉の受動的な電気特性を測定するように構成されている、請求項６に記載のシステム。
【請求項１７】
組織は筋肉であり、この場合に：
少なくとも１つのＥＭＧ電極は、筋肉が休止しているとき、および筋肉が収縮しているときに、筋肉の能動的な電気特性を測定するように構成され；
少なくとも４つのインピーダンス電極は、筋肉が休止しているとき、および筋肉が収縮しているときに、筋肉の受動的な電気特性を測定するように構成されている、請求項１２に記載の方法。
【請求項１８】
インピーダンス‐ＥＭＧ針が、さらに組織の温度を測定するように構成されている請求項１に記載のインピーダンス‐ＥＭＧ針。
【請求項１９】
インピーダンス‐ＥＭＧ針が、さらに組織の温度を測定するように構成されている請求項６に記載のシステム。
【請求項２０】
インピーダンス‐ＥＭＧ針が、さらに組織の温度を測定するように構成されている請求項１２に記載の方法。
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
ポーションカプセルから淹出飲料を調製するための淹出モジュールであって、
・ハウジング（２）と、
・第１の淹出モジュールパーツ（３）と第２の淹出モジュールパーツ（４）とを備え、前記第２の淹出モジュールパーツ（４）は、前記ハウジングに対して、第１の淹出モジュールパーツ位置と第２の淹出モジュールパーツ位置との間で移動可能であり、前記第２の淹出モジュールパーツ位置では、淹出チャンバが形成され、前記淹出チャンバは、淹出手順により淹出位置に位置する前記ポーションカプセル（１０）を少なくとも部分的に取り囲み、前記淹出モジュールは、淹出用流体を前記ポーションカプセル内に導入することによって淹出飲料を淹出し、これを前記ポーションカプセルから吐出するように構成され、前記淹出モジュールはさらに、
・手動で第１の操作要素位置から第２の操作要素位置にすることができる操作要素（６）と、
・前記操作要素（６）の移動を前記ハウジングに対する前記第２の淹出モジュールパーツの移動に伝達するための伝達機構とを備え、
前記第２の淹出モジュールパーツの移動を減衰させるための減衰装置によって特徴付けられ、前記減衰装置は、位置に応じておよび／または移動方向に応じて一定でない減衰特性を有するように設計される、淹出モジュール。
【請求項２】
前記操作要素（６）は、上から下への傾斜移動によって前記第１の操作要素位置から前記第２の操作要素位置にされ得る操作レバーであり、前記操作要素は前記第２の操作要素位置においてカプセル挿入口を閉じる、請求項１に記載の淹出モジュール。
【請求項３】
前記第２の淹出モジュールパーツ（４）は、直線的に平行移動する態様、特に水平の態様で前記ハウジングに対して移動可能であり、前記第１の淹出モジュールパーツ（３）は、前記ハウジングに対して固定される態様で組み付けられる、請求項１または２に記載の淹出モジュール。
【請求項４】
前記減衰装置によってもたらされる減衰は、摩擦によって行われる、請求項１〜３のいずれか１項に記載の淹出モジュール。
【請求項５】
前記減衰装置は、変位範囲の一部の範囲に沿ってのみ減衰を行うように、および／または、閉鎖移動中のみもしくは開放移動中のみ減衰を行うように設計される、請求項１〜４のいずれか１項に記載の淹出モジュール。
【請求項６】
前記操作要素の移動で互いに対して移動させられる２つのパーツの各々は、接触部を有し、前記接触部は、互いに物理的に接触して、前記変位範囲の一部の範囲で互いにこすれ合うのみである、請求項５に記載の淹出モジュール。
【請求項７】
前記ハウジングは、摺動面（５１）を備え、前記第２の淹出モジュールパーツ（４）の移動で移動させられる要素は、弾性力によりおよび／または前記一部の範囲での詰まりにより前記摺動面に押し付けられる減衰要素（５３）を備え、逆の場合も考えられる、請求項１〜６のいずれか１項に記載の淹出モジュール。
【請求項８】
前記減衰要素（５３）は、エラストマ特性を備える、請求項７に記載の淹出モジュール。
【請求項９】
前記減衰要素（５３）は、前記摺動面と接触したときに前記摺動面に対する移動によって一方の方向に変形されて前記摺動面に対して弾性力を加える一方、他方の方向への移動ではそれは回避し得て、本質的に力が及ばない態様で前記摺動面に沿って摺動し得るように配置され、設計される、請求項７または８に記載の淹出モジュール。
【請求項１０】
前記減衰要素（５３）は、前記一方の方向に前記摺動面に対して移動させたときに前記減衰要素が押し込まれる狭窄部を一方の側に形成する受け部（５４）内に可動に配置される、請求項９に記載の淹出モジュール。
【請求項１１】
前記摺動面（５１）は、前記減衰要素（５３）まである距離を有し、前記距離は相対的位置に応じて変化するため、摩擦力は前記位置に応じて変化する、請求項７〜１０のいずれか１項に記載の淹出モジュール。
【請求項１２】
前記伝達機構は、前記操作要素（６）によって回転可能に前記ハウジング（２）に取り付けられたカムディスク（３０）を備え、前記カムディスクは、第１のガイド面（３４）を備え、前記第２の淹出モジュールパーツは、前記カムディスクが回転されることによって、前記ハウジングに対して固定される変位範囲に沿って、前記第１の淹出モジュールパーツ位置から前記第２の淹出モジュールパーツ位置に、前記第１のガイド面によって変位可能であり、前記第１のガイド面（３４）は、前記第１のガイド面に沿って可変の伝達比を規定する、請求項１〜１１のいずれか１項に記載の淹出モジュール。
【請求項１３】
前記ハウジングは、摺動面（５１）を備え、前記カムディスクは、弾性力によりおよび／または前記一部の範囲での詰まりにより前記摺動面（５１）に押し付けられる減衰要素（５３）を備え、逆の場合も考えられる、請求項１２に記載の淹出モジュール。
【請求項１４】
前記カムディスクは、第２のガイド面（３５）をさらに規定し、前記第２のガイド面（３５）によって、前記第２の淹出モジュールパーツは、前記ハウジングに対して固定される前記変位範囲に沿って、前記第２の淹出モジュールパーツ位置から前記第１の淹出モジュールパーツ位置に変位可能である、請求項１２または１３に記載の淹出モジュール。
【請求項１５】
給水部、ポンプ（９２）および水加熱手段（９３）と、請求項１〜１４のいずれか１項に記載の淹出モジュールとを備える、特にコーヒーマシンである、飲料調製機。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
被験者の呼吸の呼気中に加えられる陽圧を制御することにより、呼気流量制限（ＥＦＬ）を決定するシステムにおいて、前記システムは、
前記被験者の気道に送出するための陽圧に加圧した呼吸可能なガスのフローを生成するように構成される圧力発生器、
前記被験者の呼吸に関する情報を伝える出力信号を生成するように構成される１つ以上のセンサ、並びに
前記圧力発生器及び前記１つ以上のセンサに動作可能なように結合される１つ以上のハードウェア処理器
を有し、前記ハードウェア処理器は、機械可読命令により、
前記圧力発生器に、一連の呼吸に対し、前記陽圧に加圧した呼吸可能なガスのフローを設定される圧力レベルで前記被験者に送出させる、
前記一連の呼吸の少なくとも１つの選択される呼吸に対し、前記圧力発生器に、前記陽圧に加圧した呼吸可能なガスのフローの圧力レベルを、前記少なくとも１つの選択される呼吸の呼気中に、前記被験者に送出するための前記設定される圧力レベルとは異なる圧力に一時的に変更させる、
（ａ）前記被験者の一連の呼吸に対し、前記設定される圧力レベルでの呼気、及び（ｂ）前記少なくとも１つの選択される呼吸に対し、前記変更される圧力レベルでの呼気に関する情報を伝える１つ以上のセンサからの出力信号を用いて前記被験者のＥＦＬを決定する、並びに
少なくとも１つの後続する呼吸に対し、前記陽圧に加圧した呼吸可能なガスのフローを調整される圧力レベルで前記被験者に送出するために、ユーザが介入することなく前記ＥＦＬの決定に基づき前記圧力発生器の前記設定される圧力レベルを自動調整する
ように構成されるシステム。
【請求項２】
前記１つ以上のハードウェア処理器は、前記圧力発生器に、前記少なくとも１つの後続する呼吸に対する前記少なくとも１つの選択される呼吸の呼気の後、及び前記圧力発生器の前記設定される圧力レベルを自動調整する前に、前記設定される圧力レベルに戻させる、並びに前記陽圧に加圧した呼吸可能なガスのフローを前記設定される圧力レベルで送出させるように構成される、請求項１に記載のシステム。
【請求項３】
前記陽圧に加圧した呼吸可能なガスのフローを前記設定される圧力レベルで送出することは、前記圧力発生器に、Ｎ回の呼吸に対し、前記呼吸可能なガスを前記設定される圧力レベルで送出させるように構成される前記１つ以上のハードウェア処理器を有する、
呼気中に、前記陽圧に加圧した呼吸可能なガスのフローを変更される圧力レベルで前記被験者に一時的に送出することは、前記圧力発生器に、呼吸Ｎ＋１に対し、前記呼吸可能なガスを前記変更される圧力レベルで送出させるように構成される前記１つ以上のハードウェア処理器を有する、並びに
前記１つ以上のハードウェア処理器はさらに、呼吸Ｎ＋２に対し、前記圧力発生器の前記陽圧に加圧した呼吸可能なガスのフローを前記設定される圧力レベルに再設定し、前記圧力発生器に、前記加圧した呼吸可能なガスのフローを前記設定される圧力レベルで前記被験者に送出させるように構成される、請求項１に記載のシステム。
【請求項４】
前記１つ以上のハードウェア処理器は、前記少なくとも１つの選択される呼吸の呼気中、前記陽圧に加圧した呼吸可能なガスのフローを前記変更される圧力レベルで一時的に送出することは、前記少なくとも１つの選択される呼吸に対し、呼気中に、前記被験者に送出される前記陽圧に加圧した呼吸可能なガスのフローの圧力が減少するように、前記圧力レベルを前記設定される圧力レベルから減少させることにより、前記圧力発生器に、前記陽圧に加圧した呼吸可能なガスのフローを調整させるように構成される前記１つ以上のハードウェア処理器を有するように構成される、請求項１に記載のシステム。
【請求項５】
前記１つ以上のハードウェア処理器は、被験者のＥＦＬを決定することが、
前記一連の呼吸の少なくとも１つの基準呼吸に対応する第１の呼気のフローデータを受信すること、
前記少なくとも１つの選択される呼吸に対応する第２の呼気のフローデータを受信すること、
前記第１の呼気のフローデータと前記第２の呼気のフローデータとを比較すること、及び
前記少なくとも１つの選択される呼吸の呼気がＥＦＬの特徴があるのかを、１つ以上のしきい値を超えている前記比較されるフローデータに基づいて決定すること
を有し、少なくとも１つの基準呼吸に対する前記第１の呼気のフローデータは、前記選択される呼吸の前記第２の呼気のフローデータより前に、前記１つ以上のセンサにより得られる、請求項１に記載のシステム。
【請求項６】
前記１つ以上のハードウェア処理器は、
前記決定を用いて前記被験者のＥＦＬを確認する、
一連の後続する呼吸に対し、前記被験者に送出する前記圧力レベルを前記設定される圧力レベルから増大させることにより、前記圧力発生器に、前記陽圧に加圧した呼吸可能なガスのフローを調整させる、
前記一連の後続する呼吸の後の第２の選択される呼吸に対し、前記第２の選択される呼吸の呼気中、前記圧力発生器に、前記被験者に送出する前記陽圧に加圧した呼吸可能なガスのフローの圧力レベルを一時的に変化させる、並びに
（ａ）前記被験者の前記少なくとも１つの呼吸に対し、前記設定される圧力レベルでの呼気、及び（ｂ）前記少なくとも１つの選択される呼吸に対し、前記変化した圧力レベルでの呼気に関する情報を伝える前記１つ以上のセンサからの前記出力信号を使用して、前記被験者のＥＦＬを決定する
ように構成される請求項５に記載のシステム。
【請求項７】
前記１つ以上のハードウェア処理器は、
前記決定を用いて前記被験者にＥＦＬが無いことを確認する、
一連の後続する呼吸に対し、前記被験者に送出する前記圧力レベルを前記設定される圧力レベルから減少させることにより、前記圧力発生器に、前記陽圧に加圧した呼吸可能なガスのフローを調整させる
ように構成される請求項５に記載のシステム。
【請求項８】
請求項１に記載のシステムにおいて、
前記１つ以上のハードウェア処理器は、
前記一連の呼吸からの少なくとも１つの基準呼吸、及び前記少なくとも１つの選択される呼吸の出力信号からのデータをしきい値と比較することにより、前記被験者のＥＦＬを決定する
ように構成されるシステム。
【請求項９】
請求項８に記載のシステムにおいて、
前記１つ以上のハードウェア処理器は、
前記少なくとも１つの基準呼吸及び前記少なくとも１つの選択される呼吸の両方に対し、吐き出される空気の量のパーセンテージを、前記検知した情報の前記生成される出力信号に基づいて決定する、及び
少なくとも、前記少なくとも１つの基準呼吸及び前記少なくとも１つの選択される呼吸の両方に対し、前記決定される吐き出される空気の量のパーセンテージを比較する
ように構成され、前記１つ以上のハードウェア処理器は、前記ＥＦＬを決定するために前記比較を利用している
システム。
【請求項１０】
請求項８に記載のシステムにおいて、
前記ＥＦＬを決定するための比較は、
前記少なくとも１つの基準呼吸及び前記少なくとも１つの選択される呼吸の両方に対し、測定される吐き出される量を比較する、及び／又は前記少なくとも１つの基準呼吸及び前記少なくとも１つの選択される呼吸の両方に対し、圧力の振幅を比較する
ように構成される前記１つ以上のハードウェア処理器を有する、システム。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
対象の身体の一部分の上に設置するように構成された電極と、
ユーザインタフェースデバイスと、
前記電極を介して前記対象の身体の前記部分の内部に電気パルスを導入することによって、前記対象に対し神経調節治療を適用し、かつ、
前記神経調節治療が前記対象の身体に対し及ぼす生理学的効果を前記対象に対して標示する出力を前記ユーザインタフェースデバイス上で生成する、
ように構成された少なくとも１つのコンピュータプロセッサと、
を含む装置。
【請求項２】
前記少なくとも１つのコンピュータプロセッサが、前記出力を生成することにより、前記神経調節治療の有効性を強化するように構成されている、請求項１に記載の装置。
【請求項３】
前記少なくとも１つのコンピュータプロセッサが、オーディオ出力を生成することによって出力を生成するように構成されている、請求項１又は２に記載の装置。
【請求項４】
前記少なくとも１つのコンピュータプロセッサが、オーディオ及びグラフィックの組合せ出力を生成することによって出力を生成するように構成されている、請求項１ないし３のいずれか１項に記載の装置。
【請求項５】
前記少なくとも１つのコンピュータプロセッサが、前記対象の身体の前記部分から前記対象の中枢神経系に向かって伝搬する求心性信号を標示する出力を生成することによって前記出力を生成するように構成されている、請求項１ないし４のいずれか１項に記載の装置。
【請求項６】
前記少なくとも１つのコンピュータプロセッサが、前記対象の中枢神経系から対象が疼痛を感じている場所まで伝搬する遠心性信号を標示する出力を生成することによって前記出力を生成するように構成されている、請求項１ないし５のいずれか１項に記載の装置。
【請求項７】
前記少なくとも１つのコンピュータプロセッサが、神経調節治療の開始に先立ち前記対象が疼痛を感じる領域を標示する出力を生成し、前記領域のサイズが前記神経調節治療の持続時間全体にわたり減少していることを標示することによって、前記出力を生成するように構成されている、請求項１ないし６のいずれか１項に記載の装置。
【請求項８】
前記少なくとも１つのコンピュータプロセッサがさらに、誘導緩和手順を通して前記対象を誘導するように構成された出力を生成するように構成されている、請求項１ないし７のいずれか１項に記載の装置。
【請求項９】
前記少なくとも１つのコンピュータプロセッサがさらに、誘導呼吸手順を通して前記対象を誘導するように構成された出力を生成するように構成されている、請求項１ないし８のいずれか１項に記載の装置。
【請求項１０】
前記少なくとも１つのコンピュータプロセッサは、それぞれの神経伝達物質カテゴリがそれぞれの異なるグラフィック表現によって表現されているグラフィック出力を生成することによって前記出力を生成するように構成されている、請求項１ないし９のいずれか１項に記載の装置。
【請求項１１】
対象の身体の一部分の上に設置するように構成された１つ以上の電極と、
ユーザインタフェースデバイスと、
第１の時間周期中筋肉を収縮させ第２の時間周期中前記筋肉における緊張を解除するように前記対象を誘導する目的で出力を生成するように前記ユーザインタフェースデバイスを駆動し、ここで前記第１及び第２の周期が交番するサイクルで適用され、
前記電極を介して前記対象の身体の前記部分内へ電気刺激信号を導入し、ここで前記電気刺激信号は、第１の周期中第１のパラメータセットを用いて、第２の周期中第２のパラメータセットを用いて、前記生成された出力と同期的に適用され、こうして電気刺激に起因して、
前記第２の周期から前記第１の周期までの移行において前記対象が収縮の感覚を知覚し、
前記第１の周期から前記第２の周期までの移行において前記対象が緊張解除の感覚を知覚する、
ことになる、
ように構成されている少なくとも１つのコンピュータプロセッサと、
を含む装置。
【請求項１２】
前記コンピュータプロセッサが、前記第１の時間周期中前記筋肉を収縮させ前記第２の時間周期中前記筋肉における緊張を解除するように前記対象を誘導する目的で出力を生成するように前記ユーザインタフェースデバイスを駆動することによって前記出力を生成するようにユーザインタフェースデバイスを駆動するように構成されており、前記第１の周期対前記第２の周期の比が２：３〜１：３である、請求項１１に記載の装置。
【請求項１３】
前記コンピュータプロセッサは、前記電極を介して前記対象の身体の前記部分の内部に電気刺激信号を導入することにより、前記電気刺激が適用される前記対象の身体の前記部分から２５ｃｍ超の距離にある対象の身体の場所における疼痛を軽減するように構成されている、請求項１１又は１２に記載の装置。
【請求項１４】
前記コンピュータプロセッサは、前記第１の周期中第１のパルス幅を用い前記第２の周期中第２のパルス幅を用いて前記電極を介して前記対象の身体の前記部分の内部に前記電気刺激信号を導入するように構成されており、前記第１及び第２のパルス幅が互いに異なるものである、請求項１１ないし１３のいずれか１項に記載の装置。
【請求項１５】
前記コンピュータプロセッサが、前記第１の周期中１６０マイクロ秒〜２４０マイクロ秒のパルス幅を用い前記第２の周期中６０マイクロ秒〜１４０マイクロ秒のパルス幅を用いて電極を介して前記対象の身体の前記部分内に前記電気刺激信号を導入するように構成されている、請求項１４に記載の装置。
【請求項１６】
前記コンピュータプロセッサが、前記第１の周期中１８０マイクロ秒〜２２０マイクロ秒のパルス幅を用い前記第２の周期中８０マイクロ秒〜１２０マイクロ秒のパルス幅を用いて前記電極を介して前記対象の身体の前記部分内に前記電気刺激信号を導入するように構成されている、請求項１５に記載の装置。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
１つ以上のセンサを保持するための非侵襲的デバイスであって、
呼吸口に近接して対象者の顔に取り付けられるよう解剖学的に形状設定されたハウジングを備え、
前記ハウジングが、
呼吸流の少なくとも一部分を１つ以上の所定の部位へ案内するための１つ以上の流れ案内要素を含み、前記所定の部位のうちの少なくとも１つが、少なくとも１つのセンサを保持するように構成されており、前記１つ以上の流れ案内要素の各々が少なくとも１つの開放導管を含む、非侵襲的デバイス。
【請求項２】
前記１つ以上の流れ案内要素のうちの少なくとも１つが凹部を含む、請求項１に記載の非侵襲的デバイス。
【請求項３】
前記１つ以上の流れ案内要素が、平面、曲面、管、およびこれらの組み合わせのうちの少なくとも１つを含む、請求項１から２のいずれか一項に記載の非侵襲的デバイス。
【請求項４】
前記呼吸流の少なくとも一部分を案内する前記少なくとも１つの開放導管が前記ハウジングに取り外し可能に接続可能であり、呼吸流を、呼吸センサを越えるようにして、口から、および口へ導くように構成されている、請求項１に記載の非侵襲的デバイス。
【請求項５】
前記呼吸流の少なくとも一部分を案内するための前記少なくとも１つの開放導管が、第１の開放導管が第２の開放導管に対して移動することを可能にする様態で前記ハウジングに接続されている、請求項１に記載の非侵襲的デバイス。
【請求項６】
各凹部が前記所定の部位に位置し、前記凹部の壁が、前記センサへの物理的アクセスを防止するために、前記少なくとも１つのセンサを少なくとも２つの側面から封じ込める、請求項２に記載の非侵襲的デバイス。
【請求項７】
前記１つ以上の流れ案内要素が、前記センサに近接した、制御された環境および制御された流れ領域のうちの少なくとも１つを形成するように設計されている、請求項１から６のいずれか一項に記載の非侵襲的デバイス。
【請求項８】
前記ハウジングが、加熱要素および冷却要素のうちの少なくとも１つを接続するための１つ以上のコネクタをさらに含む、請求項１から７のいずれか一項に記載の非侵襲的デバイス。
【請求項９】
前記ハウジングが、加熱要素および冷却要素のうちの少なくとも１つを保持するための１つ以上の空洞をさらに含む、請求項１から８のいずれか一項に記載の非侵襲的デバイス。
【請求項１０】
前記ハウジングが、加熱要素および冷却要素のうちの少なくとも１つを受け入れるための１つ以上の通路をさらに含む、請求項１から９のいずれか一項に記載の非侵襲的デバイス。
【請求項１１】
前記非侵襲的デバイスを前記対象者の前記顔に装着するための装着機構をさらに備える、請求項１から１０のいずれか一項に記載の非侵襲的デバイス。
【請求項１２】
流体を供給するための配管を受け入れるための通路をさらに備える、請求項１から１１のいずれか一項に記載の非侵襲的デバイス。
【請求項１３】
１つ以上の付加デバイスを受け入れるための接続要素をさらに備える、請求項１から１２のいずれか一項に記載の非侵襲的デバイス。
【請求項１４】
１つ以上の呼吸流パラメータを測定する方法であって、
非侵襲的デバイスを対象者の顔に装着するステップであって、前記非侵襲的デバイスが、１つ以上の呼吸流パラメータを測定するための少なくとも１つのセンサと、呼吸口に近接して対象者の顔に取り付けられるよう解剖学的に形状設定されたハウジングと、を備える、装着するステップを含み、前記方法が、
少なくとも１つの開放導管を含む１つ以上の流れ案内要素を用いて呼吸流の少なくとも一部分を少なくとも第１の所定の部位へ案内するステップであって、前記第１の所定の部位が、前記少なくとも１つのセンサを保持するように構成されている、案内するステップと、
測定結果を前記少なくとも１つのセンサから受け取るステップと、
を含む方法。
【請求項１５】
前記非侵襲的デバイス内に含まれる加熱要素および冷却要素のうちの少なくとも１つを、前記少なくとも１つのセンサの近傍における環境を制御するよう制御するステップをさらに含む、請求項１４に記載の方法。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
予防及び／又は治療を必要とする対象における肺高血圧症及び／又は肺気腫を予防及び／又は治療するための方法において、
１）脆弱性ヒスチジン三連構造（Ｆｒａｇｉｌｅ  Ｈｉｓｔｉｄｉｎｅ  Ｔｒｉａｄ）（ＦＨＩＴ）のレベル及び／若しくは活性を提供若しくは増強する薬剤；及び／又は
２）エンザスタウリン、
を前記対象に有効量で投与するステップを含むことを特徴とする方法。
【請求項２】
請求項１に記載の方法において、対象における肺気腫を予防するために用いられることを特徴とする方法。
【請求項３】
請求項１に記載の方法において、対象における肺気腫を治療するために用いられることを特徴とする方法。
【請求項４】
請求項１に記載の方法において、対象における肺高血圧症を予防するために用いられることを特徴とする方法。
【請求項５】
請求項１に記載の方法において、対象における肺高血圧症を治療するために用いられることを特徴とする方法。
【請求項６】
請求項４又は５に記載の方法において、前記肺高血圧症が、ＷＨＯグループＩの肺動脈高血圧症（ＰＡＨ）；ＷＨＯグループＩの肺静脈閉塞症（ＰＶＯＤ）若しくは肺毛細管腫症（ＰＣＨ）；ＷＨＯグループＩの新生児の持続性肺高血圧症；ＷＨＯグループＩＩの左心疾患に続発する肺高血圧症；ＷＨＯグループＩＩＩの肺疾患若しくは慢性低酸素に起因する肺高血圧症、ＷＨＯグループＩＶの慢性動脈閉塞症；又はＷＨＯグループＶの不明瞭な若しくは多因子機構を有する肺高血圧症に属することを特徴とする方法。
【請求項７】
請求項６に記載の方法において、前記対象が、右室収縮期圧（ＲＶＳＰ）上昇、右室肥大、心線維症、肺血管リモデリング、例えば、血管欠損、血管筋性化（ｍｕｓｃｕｌａｒｉｚａｔｉｏｎ）及び／又は新生内膜形成、又は肺気腫を有することを特徴とする方法。
【請求項８】
請求項６に記載の方法において、前記肺高血圧症が、肺高血圧症（ＰＨ）、肺動脈高血圧症（ＰＡＨ）、慢性閉塞性肺疾患（ＣＯＰＤ）又は肺気腫であることを特徴とする方法。
【請求項９】
請求項１乃至８の何れか１項に記載の方法において、前記肺高血圧症又は肺気腫が、対象において自発的に発生する（例えば特発性ＰＨ）ことを特徴とする方法。
【請求項１０】
請求項１乃至８の何れか１項に記載の方法において、前記肺高血圧症又は肺気腫が、対象の遺伝的背景に基づいて発生する（例えば家族性ＰＨ）ことを特徴とする方法。
【請求項１１】
請求項１乃至８の何れか１項に記載の方法において、前記肺高血圧症又は肺気腫が、別の疾患又は障害に起因又は関連して、例えば慢性閉塞性肺疾患（ＣＯＰＤ）に続発して発生することを特徴とする方法。
【請求項１２】
請求項１乃至１１の何れか１項に記載の方法において、ＦＨＩＴ、又はその機能断片の生成をもたらす薬剤が有効量で対象に投与されることを特徴とする方法。
【請求項１３】
請求項１２に記載の方法において、前記薬剤が、前記対象において、ＦＨＩＴ、又はその機能断片を生成するように設計されるポリヌクレオチドを含むことを特徴とする方法。
【請求項１４】
請求項１３に記載の方法において、前記ポリヌクレオチドが、ＦＨＩＴ、又はその機能断片をコードするＤＮＡ分子であることを特徴とする方法。
【請求項１５】
請求項１３に記載の方法において、前記ポリヌクレオチドが、ＦＨＩＴ、又はその機能断片をコードするＲＮＡ分子であることを特徴とする方法。
【請求項１６】
請求項１２に記載の方法において、前記薬剤が、ＦＨＩＴ、又はその機能断片を含むポリペプチドを含むことを特徴とする方法。
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
アミノ酸の脂肪酸アミドであって、
嗜癖の障害、物質の乱用障害、離脱症候群、物質の乱用嗜癖からのリハビリテーションまたは解毒の治療中または治療後の嗜癖の再発、並びに、それらに関連する状態及び症状のうちの少なくとも１つを患う患者の治療に使用するための立体異性体及びその塩を含むことを特徴とする脂肪酸アミド。
【請求項２】
請求項１に記載のアミノ酸の脂肪酸アミドであって、
脂肪酸部分が、飽和脂肪酸部分、一不飽和脂肪酸部分、及びポリ不飽和脂肪酸部分から選択されることを特徴とする脂肪酸アミド。
【請求項３】
請求項１または２に記載のアミノ酸の脂肪酸アミドであって、
前記アミノ酸が、グリシン、ジメチルグリシン、アラニン、セリン、システイン、チロシン、及びフェニルアラニンから選択されることを特徴とする脂肪酸アミド。
【請求項４】
請求項１〜３のいずれか１項に記載のアミノ酸の脂肪酸アミドであって、
前記アミノ酸が、直鎖または分岐−Ｃ１−Ｃ６アルキル、直鎖または分岐−Ｃ２−Ｃ６アルケニル、直鎖または分岐−Ｃ２−Ｃ６アルキニル、−ＯＨ、及び−Ｏ（Ｃ１−Ｃ１０アルキル）から選択される少なくとも１つの基で置換されていることを特徴とする脂肪酸アミド。
【請求項５】
請求項１〜４のいずれか１項に記載のアミノ酸の脂肪酸アミドであって、
前記アミノ酸が、少なくとも１つの直鎖または分岐−Ｃ１−Ｃ６アルキルで置換されていることを特徴とする脂肪酸アミド。
【請求項６】
請求項４に記載の脂肪酸アミドであって、
置換がアミノ酸部分のα位にあることを特徴とする脂肪酸アミド。
【請求項７】
請求項１〜６のいずれか１項に記載の脂肪酸アミドであって、
脂肪酸部分が、−Ｃ１−Ｃ６アルキル、−ＯＨ、−Ｏ（Ｃ１−Ｃ１０アルキル）、−ＳＨ、及び−Ｓ（Ｃ１−Ｃ１０アルキル）から選択される少なくとも１つの基で置換されていることを特徴とする脂肪酸アミド。
【請求項８】
請求項７に記載の脂肪酸アミドであって、
前記脂肪酸部分が、少なくとも１つの前記−Ｃ１−Ｃ６アルキルで置換されていることを特徴とする脂肪酸アミド。
【請求項９】
請求項７または８に記載の脂肪酸アミドであって、
少なくとも１つの置換が、前記脂肪酸部分の少なくとも１つのα位またはβ位にあることを特徴とする脂肪酸アミド。
【請求項１０】
請求項１〜９のいずれか１項に記載の脂肪酸アミドであって、
立体異性体及びその塩を含む、一般式（Ｉ）の化合物であり、
【化１】
2020520954.tif 000001
式中、
Ｒ１は、直鎖または分岐−Ｃ１３−Ｃ２２アルキル、直鎖または分岐−Ｃ１３−Ｃ２２アルケニル、及び直鎖または分岐−Ｃ１３−Ｃ２２アルキニルから選択され、任意選択で、直鎖または分岐−Ｃ１−Ｃ６アルキル、−ＯＨ、−Ｏ（Ｃ１−Ｃ１０アルキル）、−ＳＨ、及び−Ｓ（Ｃ１−Ｃ１０アルキル）から選択される少なくとも１つの基で置換され、
Ｒ２及びＲ３は、Ｈ、直鎖または分岐−Ｃ１−Ｃ６アルキル、直鎖または分岐−Ｃ２−Ｃ６アルケニル、直鎖または分岐−Ｃ２−Ｃ６アルキニルから独立して選択され、それぞれ任意選択で、少なくとも１つの−ＯＨ、−ＳＨ、−Ｏ（Ｃ１−Ｃ６アルキル）、フェニル、及びフェノールで置換され、
Ｒ２及びＲ３の少なくとも１つはＨとは異なることを特徴とする脂肪酸アミド。
【請求項１１】
請求項１０に記載の脂肪酸アミドであって、
前記Ｒ２及びＲ３がそれぞれ独立して−Ｃ１−Ｃ６アルキルであることを特徴とする脂肪酸アミド。
【請求項１２】
請求項１０または１１に記載の脂肪酸アミドであって、
−Ｃ１−Ｃ６アルキルがメチルであることを特徴とする脂肪酸アミド。
【請求項１３】
請求項１０〜１２のいずれか１項に記載の脂肪酸アミドであって、
前記Ｒ１が前記直鎖または分岐−Ｃ１３−Ｃ２２アルケニルであることを特徴とする脂肪酸アミド。
【請求項１４】
請求項１３に記載の脂肪酸アミドであって、
前記直鎖または分岐−Ｃ１３−Ｃ２２アルケニルが１〜６個の二重結合を含むことを特徴とする脂肪酸アミド。
【手続補正書】
【提出日】令和3年6月29日(2021.6.29)
【手続補正１】
【補正対象書類名】特許請求の範囲
【補正対象項目名】全文
【補正方法】変更
【補正の内容】
【特許請求の範囲】
【請求項１】
鼓室内経路により投与されることを特徴とする、聴覚障害の治療用の、ニューロトロフィンを含む組成物。
【請求項２】
前記ニューロトロフィンが、ＮＧＦ、脳由来神経栄養因子（ＢＤＮＦ）、ニューロトロフィン３およびニューロトロフィン４から選択され、好ましくはＮＧＦであることを特徴とする、請求項１に記載の組成物。
【請求項３】
前記障害が、突発性難聴、爆発誘発性聴力損失、中毒性難聴、ＡＲＨＬ（加齢性聴力損失）、および騒音障害から選択されることを特徴とする、請求項１または２に記載の組成物。
【請求項４】
少なくとも１つの薬学的に許容可能な賦形剤をさらに含むことを特徴とする、請求項１〜３のいずれか一項に記載の組成物。
【請求項５】
前記薬学的に許容可能な賦形剤が、ヒアルロン酸、ポリビニルアルコール、グリセロール、乳酸−グリコール酸共重合体、およびＰＥＧ４００から選択され、好ましくは、ヒアルロン酸、ポリビニルアルコールまたはグリセロールであることを特徴とする、請求項４に記載の組成物。
【請求項６】
前記組成物が溶液、懸濁液、微粒子またはゲルであることを特徴とする、請求項１〜５のいずれか一項に記載の組成物。
【請求項７】
前記微粒子がＰＬＧＡの微粒子である、請求項６に記載の組成物。
【請求項８】
前記組成物が、さらなる活性成分と組み合わせて、同時に、個別に、または逐次的に投与され得ることを特徴とする、請求項１〜７のいずれか一項に記載の組成物。
【請求項９】
前記さらなる活性成分が、デキサメタゾン、メチルプレドニゾロンおよびプレドニゾロンから選択されるステロイドであることを特徴とする、請求項８に記載の組成物。
【請求項１０】
前記組成物が１μｇ〜１．２ｍｇのＮＧＦ、好ましくは１０μｇ〜２００μｇのＮＧＦ、より好ましくは２μｇ〜２０μｇのＮＧＦを含有することを特徴とする、請求項１〜９のいずれか一項に記載の組成物。
【請求項１１】
前記溶液が、１μｇ／ｍｌ〜１．２ｍｇ／ｍｌ、好ましくは１０μｇ／ｍｌ〜２００μｇ／ｍｌ、より好ましくは２μｇ／ｍｌ〜２０μｇ／ｍｌの範囲の濃度のＮＧＦを含有することを特徴とする、請求項６に記載の組成物。
【請求項１２】
前記懸濁液が、１μｇ／ｍｌ〜１．２ｍｇ／ｍｌ、好ましくは１０μｇ／ｍｌ〜２００μｇ／ｍｌ、より好ましくは２μｇ／ｍｌ〜２０μｇ／ｍｌの範囲の濃度のＮＧＦを含有することを特徴とする、請求項６に記載の組成物。
【請求項１３】
前記微粒子が、１μｇ／ｍｌ〜１．２ｍｇ／ｍｌ、好ましくは１０μｇ／ｍｌ〜２００μｇ／ｍｌ、より好ましくは２μｇ／ｍｌ〜２０μｇ／ｍｌの範囲の濃度のＮＧＦを含有することを特徴とする、請求項６に記載の組成物。
【請求項１４】
前記ニューロトロフィンがマウスまたはヒト由来ニューロトロフィン、もしくはヒト組換えニューロトロフィンであることを特徴とする、請求項１〜１３のいずれか一項に記載の組成物。
【請求項１５】
前記ニューロトロフィンがマウスまたはヒト由来ＮＧＦ、もしくはヒト組換えＮＧＦであることを特徴とする、請求項１４に記載の組成物。
【請求項１６】
前記組成物が毎日投与され、好ましくは１日に１回以上投与されることを特徴とする、請求項１〜１５のいずれか一項に記載の組成物。
【手続補正２】
【補正対象書類名】明細書
【補正対象項目名】００１５
【補正方法】変更
【補正の内容】
【００１５】
最近、患者に投与されるタンパク質のより均一な構造を得ることに利点を有する遺伝子工学技術を用いて、ヒトＮＧＦが合成された（Ｉｗａｎｅ  ｅｔ  ａｌ．，Ｂｉｏｃｈｅｍ．Ｂｉｏｐｈｙｓ．Ｒｅｓ．Ｃｏｍｍｕｎ．，１７１：１１６，１９９０（非特許文献８）、欧州特許第０９９４１８８号明細書（特許文献１）、国際公開第２０１３／０９２７７６号（特許文献２））。内耳に対する損傷の形態学的および生理学的効果を促し、調査するために、様々な動物モデルが用いられた。動物モデルの失聴した蝸牛に投与した場合、ニューロトロフィンは、らせん神経節ニューロンの生存を劇的に改善し、末梢聴覚繊維の再生を促進できることが示された。
【手続補正３】
【補正対象書類名】明細書
【補正対象項目名】００１７
【補正方法】変更
【補正の内容】
【００１７】
【特許文献１】欧州特許第０９９４１８８号明細書
【特許文献２】国際公開第２０１３／０９２７７６号
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
ある線量の放射線を投与された腫瘍を含む標的領域に最も近い血管の部分に対して、ある用量の薬剤を送達するのに用いるために前記血管に挿入されるカテーテル装置であって、第一の閉塞要素及び第二の閉塞要素を含み、前記第一の閉塞要素及び前記第二の閉塞要素が、前記標的領域に最も近い前記血管の前記部分を分離するためのものである、前記カテーテル装置。
【請求項２】
前記薬剤が化学療法剤である、請求項１に記載のカテーテル装置。
【請求項３】
管腔及び注入ポートを画定する請求項１又は２に記載のカテーテル装置であって、前記管腔が、前記注入ポートと連通し、前記用量の前記薬剤を前記部分に送達するように構成される、前記カテーテル装置。
【請求項４】
注入ポートが、前記用量の前記薬剤を、前記第一の閉塞要素及び前記第二の閉塞要素の間で分離された前記部分に送達することができるように、前記注入ポートが前記カテーテル装置の前記第一の閉塞要素及び前記第二の閉塞要素の間に配置される、請求項１〜３のいずれか一項に記載のカテーテル装置。
【請求項５】
前記線量の放射線の前記投与に続いて所定の期間の後に前記用量の前記薬剤を送達するためのものである、請求項１〜４のいずれか一項に記載のカテーテル装置。
【請求項６】
第一の薬剤が色素であり、第二の薬剤が化学療法剤である、請求項１〜５のいずれか一項に記載のカテーテル装置。
【請求項７】
第一の薬剤が第一の化学療法剤であり、第二の薬剤が前記第一の化学療法剤とは異なる第二の化学療法剤である、請求項１〜６のいずれか一項に記載のカテーテル装置。
【請求項８】
（ｉ）腫瘍を含む標的領域に、ある線量の放射線を投与するのに用いるための放射線源、及び（ｉｉ）前記線量の放射線が投与された前記標的領域に最も近い血管の部分へ、ある用量の薬剤を送達するのに用いるための、前記血管に挿入されるカテーテル装置を含むシステムであって、前記カテーテル装置は、第一の閉塞要素及び第二の閉塞要素を含み、前記第一の閉塞要素及び前記第二の閉塞要素は、前記標的領域に最も近い前記血管の前記部分を分離するためのものである、前記システム。
【請求項９】
前記薬剤が化学療法剤である、請求項８に記載のシステム。
【請求項１０】
前記カテーテル装置が、管腔及び注入ポートを画定し、前記管腔が、前記注入ポートと連通し、前記用量の前記薬剤を前記部分に送達するように構成される、請求項８又は９に記載のシステム。
【請求項１１】
注入ポートが、前記用量の前記薬剤を、前記第一の閉塞要素及び前記第二の閉塞要素の間で分離された前記部分に送達することができるように、前記注入ポートが前記カテーテル装置の前記第一の閉塞要素及び前記第二の閉塞要素の間に配置される、請求項８〜１０のいずれか一項に記載のシステム。
【請求項１２】
前記カテーテル装置が、前記線量の放射線の前記投与に続いて所定の期間の後に前記用量の前記薬剤を送達するためのものである、請求項８〜１１のいずれか一項に記載のシステム。
【請求項１３】
第一の薬剤が色素であり、第二の薬剤が化学療法剤である、請求項８〜１２のいずれか一項に記載のシステム。
【請求項１４】
第一の薬剤が第一の化学療法剤であり、第二の薬剤が前記第一の化学療法剤とは異なる第二の化学療法剤である、請求項８〜１３のいずれか一項に記載のシステム。
【請求項１５】
ある線量の放射線を投与された腫瘍を含む標的領域に最も近い血管の部分に対して、ある用量の薬剤を送達するのに用いるためのカテーテル装置であって、前記標的領域に最も近い前記血管の前記部分を分離するように、及び前記部分の管腔内圧を、前記血管及び前記標的領域の間の間質腔の圧力レベルに調整するように構成される、前記カテーテル装置。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
構造式Ｉ：
【化１】
2020520993.tif 000001
を有する化合物、又はその薬学的に許容し得る塩（式中、
Ｒ１、Ｒ２、及びＲ３のそれぞれは、独立に、−ＣＨ３及び−ＣＤ３から選択され；
Ｙ１ａ、Ｙ１ｂ、Ｙ２ａ、Ｙ２ｂ、Ｙ３ａ、Ｙ３ｂ、Ｙ４ａ、Ｙ４ｂ、Ｙ４ｃ、及びＹ４ｄのそれぞれは、独立に、水素及び重水素から選択され；
Ｒ１、Ｒ２、及びＲ３のそれぞれが−ＣＨ３である場合には、Ｙ１ａ、Ｙ１ｂ、Ｙ２ａ、Ｙ２ｂ、Ｙ３ａ、Ｙ３ｂ、Ｙ４ａ、Ｙ４ｂ、Ｙ４ｃ、及びＹ４ｄの少なくとも１つは、重水素である）。
【請求項２】
Ｙ１ａとＹ１ｂが同じであり；
Ｙ２ａとＹ２ｂが同じであり；
Ｙ３ａとＹ３ｂが同じであり；
Ｙ４ａ、Ｙ４ｂ、Ｙ４ｃ、及びＹ４ｄが同じである
請求項１に記載の化合物。
【請求項３】
Ｙ４ａ、Ｙ４ｂ、Ｙ４ｃ、及びＹ４ｄのそれぞれが、水素である、請求項１又は２に記載の化合物。
【請求項４】
Ｙ１ａとＹ１ｂのそれぞれが重水素である、請求項１〜３のいずれか一項に記載の化合物。
【請求項５】
Ｙ１ａとＹ１ｂのそれぞれが水素である、請求項１〜４のいずれか一項に記載の化合物。
【請求項６】
Ｙ２ａとＹ２ｂのそれぞれが重水素である、請求項１〜５のいずれか一項に記載の化合物。
【請求項７】
Ｙ２ａとＹ２ｂのそれぞれが水素である、請求項１〜６のいずれか一項に記載の化合物。
【請求項８】
Ｙ３ａとＹ３ｂのそれぞれが重水素である、請求項１〜７のいずれか一項に記載の化合物。
【請求項９】
Ｙ３ａとＹ３ｂのそれぞれが水素である、請求項１〜７のいずれか一項に記載の化合物。
【請求項１０】
Ｒ１が−ＣＤ３である、請求項１〜９のいずれか一項に記載の化合物。
【請求項１１】
Ｒ１が−ＣＨ３である、請求項１〜９のいずれか一項に記載の化合物。
【請求項１２】
Ｒ２とＲ３のそれぞれが、−ＣＤ３である、請求項１〜１１のいずれか一項に記載の化合物。
【請求項１３】
Ｒ２とＲ３のそれぞれが、−ＣＨ３である、請求項１〜１１のいずれか一項に記載の化合物。
【請求項１４】
Ｙ４ａ、Ｙ４ｂ、Ｙ４ｃ、及びＹ４ｄのそれぞれが、重水素であり、Ｙ１ａとＹ１ｂが同じであり；Ｙ２ａとＹ２ｂが同じであり；Ｙ３ａとＹ３ｂが同じであり；Ｒ２とＲ３が同じである、請求項１に記載の化合物。
【請求項１５】
前記化合物が、
【化２】
2020520993.tif 000002
、又はその薬学的に許容し得る塩から選択される、請求項１４に記載の化合物。
【請求項１６】
Ｙ４ａ、Ｙ４ｂ、Ｙ４ｃ、及びＹ４ｄのそれぞれが、水素であり；Ｙ１ａとＹ１ｂが同じであり；Ｙ２ａとＹ２ｂが同じであり；Ｙ３ａとＹ３ｂが同じであり；Ｒ２とＲ３が同じである化合物であって、下の表：
【表１】
2020520993.tif 000003
中の任意の化合物（ここでは、重水素又はＤと指定されていない任意の原子は、その天然同位体存在度で存在する）から選択される、請求項１に記載の化合物。
【請求項１７】
前記化合物が、
【化３】
2020520993.tif 000004
又はその薬学的に許容し得る塩から選択される、請求項１６に記載の化合物。
【請求項１８】
構造式Ｉａ：
【化４】
2020520993.tif 000005
又はその薬学的に許容し得る塩（式中：
Ｒ１は、−ＣＨ３及び−ＣＤ３から選択され；
Ｙ１ａとＹ１ｂは、同じであり；
Ｙ２ａとＹ２ｂは、同じである）
を有する、請求項１に記載の化合物。
【請求項１９】
Ｙ２ａとＹ２ｂが、水素である、請求項１８に記載の化合物。
【請求項２０】
Ｒ１が−ＣＤ３であり、且つＹ１ａとＹ１ｂのそれぞれが重水素である、請求項１８又は１９に記載の化合物。
【請求項２１】
Ｒ１が−ＣＨ３であり、且つＹ１ａとＹ１ｂのそれぞれが水素である、請求項１８又は１９に記載の化合物。
【請求項２２】
次の構造式：
【化５】
2020520993.tif 000006
を有する、請求項１８に記載の化合物、又はその薬学的に許容し得る塩。
【請求項２３】
構造式Ｉｂ：
【化６】
2020520993.tif 000007
を有する、請求項１に記載の化合物、又はその薬学的に許容し得る塩（式中：
Ｒ２とＲ３のそれぞれは、独立に、−ＣＨ３及び−ＣＤ３から選択され；
Ｙ２ａとＹ２ｂは同じであり；
Ｙ３ａとＹ３ｂは同じである）。
【請求項２４】
Ｙ２ａとＹ２ｂが、水素である、請求項２３に記載の化合物。
【請求項２５】
Ｙ３ａとＹ３ｂが、水素である、請求項２３又は２４に記載の化合物。
【請求項２６】
Ｒ２とＲ３が同じである、請求項２３〜２５のいずれか一項に記載の化合物。
【請求項２７】
Ｒ２とＲ３が、−ＣＨ３である、請求項２６に記載の化合物。
【請求項２８】
Ｒ２とＲ３が、−ＣＤ３である、請求項２６に記載の化合物。
【請求項２９】
次の構造式
【化７】
2020520993.tif 000008
を有する、請求項２３に記載の化合物、又はその薬学的に許容し得る塩。
【請求項３０】
重水素又はＤと指定されていない任意の原子が、その天然同位体存在度で存在する、請求項１〜１５又は１８〜２９のいずれか一項に記載の化合物。
【請求項３１】
Ｄと指定された各位置が、９０％超の重水素取り込みを有する、請求項１〜１５又は１８〜３０のいずれか一項に記載の化合物。
【請求項３２】
請求項１〜１５又は１８〜３１のいずれか一項に記載の化合物と；薬学的に許容し得る担体とを含む医薬組成物。
【請求項３３】
癌、自己免疫疾患、及び感染症から選択される疾患を治療するための請求項３２に記載の医薬組成物。
【請求項３４】
前記疾患が、皮膚Ｔ細胞リンパ腫である、請求項３３に記載の医薬組成物。
【請求項３５】
対象における、ある抗原に対する免疫応答を増強させるための組成物であって、前記組成物は、請求項１〜１５又は１８〜３１のいずれか一項に記載の化合物を含み、前記抗原と共に対象に同時投与される、組成物。
【請求項３６】
前記抗原が、癌抗原、インフルエンザ抗原、及びＢ型肝炎ウイルス抗原から選択される、請求項３５に記載の組成物。
【請求項３７】
前記癌抗原が、ＮＹ−ＥＳＯ−１タンパク質、ＮＹ−ＥＳＯ−１ｂペプチド、ｇｐ１００、ＭＡＧＥ−３、ＣＤＸ−１４０１、ＬＰＶ７、及び自己腫瘍ライセートから選択される、請求項３６に記載の組成物。
【請求項３８】
癌を治療するための請求項３２に記載の医薬組成物であって、免疫療法剤及び治療用抗体から選択される第２の治療薬と共にそれを必要とする対象に同時投与される、医薬組成物。
【請求項３９】
前記免疫療法剤が、チェックポイント阻害剤である、請求項３８に記載の医薬組成物。
【請求項４０】
前記治療用抗体が、ＥＧＦＲに対して選択的である抗体及びＨｅｒ  ２に対して選択的である抗体から選択される、請求項３８に記載の医薬組成物。